(57)【要約】【課題】外部から制御ソフトウェアーを記憶させる制御端末装置を備えた測定情報管理装置を提供することを課題とする。【解決手段】制御端末装置１１と、この制御端末装置１１と接続の携帯端末装置（携帯電話１）と、この携帯端末装置と通信回線６０で接続の操作情報記憶管理装置７０と、を有する測定情報管理装置で、前記携帯端末装置の入力部で所定の入力操作をすると、前記操作情報記憶管理装置７０から制御ソフトウェアーを携帯端末装置にダウンロードすると共に、制御端末装置１１に送信し制御端末装置１１に付設の記憶部に記憶する。【選択図】        図１
2004240868.tif 000002
【特許請求の範囲】
【請求項１】
制御端末装置と、この制御端末装置と接続の携帯端末装置と、この携帯端末装置と通信回線で接続の操作情報記憶管理装置と、を有する測定情報管理装置であって、
前記携帯端末装置の入力部で所定の入力操作をすると、前記操作情報記憶管理装置から制御ソフトウェアーを携帯端末装置にダウンロードすると共に、制御端末装置に送信し制御端末装置に付設の記憶部に記憶する、
ことを特徴とする測定情報管理装置。
【請求項２】
制御端末装置と、この制御端末装置と接続し且つ記憶媒体を装着可能な携帯端末装置と、を有する測定情報管理装置であって、
前記記憶媒体が携帯端末装置に装着されたことを認識すると、前記記憶媒体に記憶の制御ソフトウェアーを、携帯端末装置を経由して制御端末装置に付設の記憶部に記憶する、
ことを特徴とする測定情報管理装置。
【請求項３】
請求項１〜２のいずれかに記載の測定情報管理装置であって、制御端末装置に測定器を接続し、携帯端末装置と通信回線で接続の情報管理装置を有しており、
前記制御端末装置の入力部で所定の入力操作をすると、前記測定器に記憶の測定値を、制御端末装置、及び携帯端末装置を経由して情報管理装置に記憶する、
ことを特徴とする測定情報管理装置。
【発明の詳細な説明】
【０００１】
【発明の属する技術分野】
本発明は、測定情報管理装置に関する。
【０００２】
【従来の技術】
従来より、図６に示すように、例えば、在宅治療を受けている患者は、自分で測定可能な体に関する様々な情報（例えば、体温等）を測定器（例えば、体温計等）で測定して、その測定した情報を、通信回線を介して所定の送信先（例えば、かかりつけの病院等）へ所定の期間（例えば、１ヶ月）ごとに送信している。そして、病院は、その送信された情報を見て患者の健康状態を把握したり、その測定した情報を診察の際に役立てている。この測定した情報の送信は、例えば、測定器に接続した制御端末装置を携帯端末装置（例えば、携帯電話）と接続して、制御端末装置からの簡便な操作で、測定した情報を前記測定器から読み取り、携帯端末装置を介して前記所定の送信先へ送信している。
【０００３】
従来より携帯端末装置を介した測定情報の送信は、一般的に行われているので、あえて先行技術文献を記載しない。
【０００４】
【発明が解決しようとする課題】
測定した情報の送信操作を、携帯端末装置から実施するのであれば、まず、使用者は、携帯端末装置の入力キーにてＵＲＬの打ち込み画面にして、予め記憶の送信先のＵＲＬを読み出す操作、もしくは、送信先のＵＲＬを打ち込む操作等、複数の送信操作を実施しなければならないため手間である。
そこで簡便な送信操作にするために、携帯端末装置と制御端末装置を接続しておき、制御端末装置に付設のボタン操作のみを実施すれば、携帯端末装置の操作なしで簡便に測定した情報の送信が実施できるようになっている。すなわち、携帯端末装置を外部から操作する様に制御端末装置を備えており、その外部操作に対応する種々の制御ソフトウェアー（例えば、制御端末装置に付設の情報送信ボタンの操作のみで、測定した情報の送信先である情報管理装置へ自動接続して、且つ測定器からの測定した情報を送信するために、測定器と携帯端末装置を制御端末装置から制御するための信号、及び前記情報管理装置のＵＲＬに関する信号が含まれている情報）を制御端末装置に記憶している。そして、この制御ソフトウェアーは、携帯端末装置の機種により異なる情報であるため、使用者は、予め使用する携帯端末装置に対応する制御端末装置を購入しなければいけない。
そのため、使用者は、携帯端末装置の機種を変更するごとに、変更した新たな機種に対応する制御端末装置を購入しなければならなかった。また、制御端末装置の製造者も、携帯端末装置に新たな機種が発売されると、併せて対応する制御端末装置を製造しなければならなかった。
本発明は、このような点に鑑みて創案されたものであり、外部から制御ソフトウェアーを記憶させる制御端末装置を備えた測定情報管理装置を提供することを課題とする。
【０００５】
【課題を解決するための手段】
上記課題を解決するための手段として、本発明の第１発明は、請求項１に記載されたとおりの測定情報管理装置である。
請求項１に記載の測定情報管理装置は、制御端末装置と、携帯端末装置（例えば、携帯電話）とを接続し、且つこの携帯端末装置と、操作情報記憶管理装置とを通信回線（例えば、インターネット）で接続する。そして、前記携帯端末装置の入力部の入力キーで所定の入力操作（例えば、操作情報記憶管理装置のＵＲＬの入力）をすると、前記操作情報記憶管理装置から制御ソフトウェアーを携帯端末装置にダウンロードすると共に、制御端末装置に送信し制御端末装置に付設の記憶部に記憶する。
これにより、例えば、携帯端末装置の入力操作で、操作情報記憶管理装置から制御端末装置に制御ソフトウェアーを簡便にダウンロードして記憶できる。
【０００６】
本発明の第２発明は、請求項２に記載されたとおりの測定情報管理装置である。請求項２に記載の測定情報管理装置は、制御端末装置と、記憶媒体（例えば、メモリーカード）を装着可能な携帯端末装置（例えば、携帯電話）とを接続する。そして、前記記憶媒体を前記携帯端末装置に装着すると、前記記憶媒体に記憶の制御ソフトウェアーを、携帯端末装置を経由して制御端末装置に付設の記憶部に記憶する。
これにより、例えば、携帯端末装置への記憶媒体の装着で、その記憶媒体から制御端末装置に制御ソフトウェアーを簡便に記憶できる。
【０００７】
本発明の第３発明は、請求項３に記載されたとおりの測定情報管理装置である。請求項３に記載の測定情報管理装置は、制御端末装置と、測定器（例えば、体温計）とを接続し、且つ携帯端末装置と、情報管理装置とを通信回線（例えば、インターネット）で接続する。そして、前記制御端末装置の入力部で所定の入力操作（例えば、情報送信ボタンの押下）をすると、前記測定器に記憶の測定値を、制御端末装置、及び携帯端末装置を経由して情報管理装置に記憶する。
これにより、例えば、制御端末装置の入力操作で、測定器から情報管理装置に測定値を簡便に送信して記憶することができる。
【０００８】
【発明の実施の形態】
本発明を図面を参照して説明する。図１は、本発明の測定情報管理装置を測定器で測定した測定情報を携帯端末装置を介して情報管理装置への送信に適用した一実施の形態（第１の実施の形態）の概略構成図を示している。
◆［第１の実施の形態］
第１の実施の形態では、制御端末装置１１は、操作情報記憶管理装置７０より通信回線６０を介したダウンロードにて制御ソフトウェアーを、記憶する構成である。
【０００９】
●［全体構成］
測定器（例えば、体温計であり、以下「体温計２１」と記す）で測定した測定情報（例えば、体温値を含む情報であり、以下「体温情報」と記す）は、通信ケーブル６１にて制御端末装置１１に送信されて、さらに、通信ケーブル６１にて携帯端末装置（例えば、携帯電話であり、以下「携帯電話１」と記す）に送信されて、中継装置４０、及び通信回線６０（例えば、インターネット等）を介して情報管理装置５０に送信されて、その情報管理装置５０にて体温情報は管理されている。なお、この体温情報の送信操作は、制御端末装置１１に記憶の制御ソフトウェアーによって実施され、この制御ソフトウェアーは、後述する携帯電話１を介して操作情報記憶管理装置７０からダウンロードされている。
【００１０】
●［携帯電話１の構成］
図２（Ａ）を参照して、携帯電話１の構成について説明する。携帯電話１は、外部接続部として制御端末装置１１と通信ケーブル６１接続を可能にする接続端子４と、入力部である入力キー５と、表示部６と、を備えていると共に図２（Ｂ）に示す制御装置を内蔵している。この制御装置は、ブロック図に示すように、ＣＰＵ２、記憶部３（ＲＡＭ、ＲＯＭ）、接続端子４、入力キー５、表示部６、等で構成されている。そして、前記記憶部３に記憶の制御ソフトによってＣＰＵ２は、送受信相手と通信回線を介して接続（アクセス）したり、接続端子４から送受信する信号や情報の判別をしたり、入力キー５を判別したり、表示部６を表示したり、種々の機能を実行している。
【００１１】
●［制御端末装置１１の構成］
図２（Ｃ）を参照して、制御端末装置１１の構成について説明する。制御端末装置１１は、外部接続部として携帯電話１と体温計２１とを通信ケーブル６１接続を可能にする接続端子１４と、入力部である情報送信ボタン１６と、を備えていると共に、図２（Ｄ）に示す制御装置を内蔵している。この制御装置は、ブロック図に示すように、ＣＰＵ１２、記憶部１３（ＲＡＭ、ＲＯＭ）、接続端子１４、情報送信ボタン１６、等で構成されている。そして、前記制御端末装置１１は、携帯電話１と通信ケーブル６１で接続した状態で、前記携帯電話１から制御ソフトウェアーを受信すると、その制御ソフトウェアーを記憶部１３に記憶する。さらに、前記制御端末装置１１を後述する体温計２１とも接続した状態で、使用者の前記情報送信ボタン１６の押下により、前記体温計２１に記憶の体温情報を通信回線６０を介して情報管理装置５０へ送信する。
このように、前記記憶部１３に記憶の制御ソフトによってＣＰＵ１２は、接続端子１４から送受信する信号や情報の判別をしたり、情報送信ボタン１６からの操作を判別したり、種々の機能を実行する。
【００１２】
●［体温計２１の構成］
図２（Ｅ）を参照して、体温計２１の構成について説明する。体温計２１は、外部接続部として制御端末装置１１と通信ケーブル６１接続を可能にする接続端子２４と、測定部２５と、測定体温を表示する表示部２６を備えていると共に、図２（Ｆ）に示す制御装置を内蔵している。この制御装置は、ブロック図に示すように、ＣＰＵ２２、記憶部２３（ＲＡＭ、ＲＯＭ）、接続端子２４、測定部２５、表示部２６、等で構成されている。そして、使用者は、この体温計２１を用いて、例えば、起床時ごとに前記測定部２５を自身の身体に充てて体温を測定して、表示部２６で測定した体温情報を確認すると共に、その体温情報は、測定日時に対応づけられて自身の記憶部２３に記憶される。
このように、前記記憶部２３に記憶の制御ソフトによってＣＰＵ２２は、接続端子２４から送受信する信号や情報の判別をしたり、測定部２５からの測定した情報を判別したり、表示部２６を表示したり、種々の機能を実行する。
【００１３】
●［制御ソフトウェアーのダウンロード］
携帯電話１で操作情報記憶管理装置７０から制御ソフトウェアーをダウンロードして制御端末装置１１にその制御ソフトウェアーを記憶させる操作について説明する。
この制御ソフトウェアーとは、制御端末装置１１の情報送信ボタン１６の操作のみで、携帯電話１を体温情報の送信先である情報管理装置５０へ自動接続して、且つ体温計２１からの体温情報を送信するために、体温計２１と携帯電話１を制御端末装置１１から制御したり、前記携帯電話１を前記情報管理装置５０のＵＲＬに接続するものである。この制御ソフトウェアーは、携帯電話１の機種により異なるため（例えば、携帯電話１の機種ごとに、待受画面からＵＲＬへの入力画面へ入る方法が異なる等）、まず、使用者が使用している携帯電話１の機種を操作情報記憶管理装置７０に送信して、その機種に対応した制御ソフトウェアーを制御端末装置１１はダウンロードしなければならない。
以下に、この制御ソフトウェアーのダウンロードについて携帯電話１と、制御端末装置１１と、操作情報記憶管理装置７０で実行される処理について説明する。
【００１４】
使用者は、携帯電話１の接続端子４と、制御端末装置１１の接続端子１４をそれぞれ通信ケーブル６１にて接続する。そして、使用者は、携帯電話１の入力キー５より操作情報記憶管理装置７０のＵＲＬ（例えば、ｈｔｔｐ：／／ｗｗｗ．○○○．ｃｏｍ）を入力する。
次に、使用者は、携帯電話１を前記入力した操作情報記憶管理装置７０のＵＲＬに接続（アクセス）して機種入力情報を受信する。この機種入力情報とは、制御ソフトウェアーが携帯電話１の機種ごとに異なるため、その機種に対応している制御ソフトウェアーをダウンロードする必要があるために、使用者が使用している携帯電話１の機種を操作情報記憶管理装置７０に認識させる信号である。
使用者が、使用している携帯電話１の機種が、例えば、「ｂｂｂ」であれば、受信した機種入力情報の中から「ｂｂｂ」を選択する。そして、使用者は、携帯電話１の画面中の決定操作の実施によって操作情報記憶管理装置７０と接続の携帯電話１の機種が「ｂｂｂ」である旨を送信し、「ｂｂｂ」に対応した制御ソフトウェアーをダウンロードする。そして、この制御ソフトウェアーには、体温情報の送信先である情報管理装置５０へ自動接続するための携帯電話１を制御したり、情報管理装置５０の送信先（例えば、ＵＲＬであり、ｈｔｔｐ：／／ｗｗｗ．△△△．ｃｏｍ）に接続するものが含まれている。
そして、携帯電話１は、この制御ソフトウェアーを操作情報記憶管理装置７０からダウンロードすると、制御端末装置１１へ送信し、記憶部１３に記憶する。
以上の処理によって、操作情報記憶管理装置７０から機種「ｂｂｂ」に対応の制御ソフトウェアーが記憶される。
【００１５】
●［測定情報（体温情報）の送信］
次に、制御端末装置１１から携帯電話１を経由して体温計２１の体温情報を情報管理装置５０へ送信する操作について説明する。
以下に、その詳細について携帯電話１と、制御端末装置１１と、体温計２１と、情報管理装置５０で実行される処理について説明する。
【００１６】
使用者は、携帯電話１の接続端子４と、制御端末装置１１の接続端子１４、及び制御端末装置１１の接続端子１４、体温計２１の接続端子２４、とをそれぞれ通信ケーブル６１にて接続する。そして、使用者は、制御端末装置１１に付設の情報送信ボタン１６を押下すると、制御端末装置１１の記憶部１３に記憶の制御ソフトウェアーによって、測定情報要求信号を体温計２１へ送信して、体温計２１は、前記測定情報要求信号に基づいて体温情報を制御端末装置１１の記憶部１３に記憶する。
そして、前記制御ソフトウェアーによって、携帯電話１と情報管理装置５０とを通信回線６０を介して接続し、記憶している体温情報を送信する。
このようにして、情報管理装置５０は、体温計２１から体温情報を受信して、その体温情報に含まれる体温値を後述する識別番号に対応付けて記憶すると共に、携帯電話１へその記憶完了の確認信号として測定情報受理信号を送信する。携帯電話１で、その測定情報受理信号を受信して、使用者は体温情報の送信完了の確認をする。
以上の処理によって、制御端末装置１１に付設の情報送信ボタン１６の押下のみで、体温計２１から情報管理装置５０に体温情報が簡便に送信される。
【００１７】
なお、上述した情報管理装置５０へ送信される体温情報は、体温計２１の記憶部２３に記憶されている全ての体温情報が送信される構成となっている。そのため、例えば、先月分の体温情報を既に情報管理装置５０へ送信後、その体温情報を体温計２１の記憶部２３から消去していなければ、再度、先月分も併せて送信されてしまう。そのため、情報管理装置５０は、既に記憶されている体温情報の日付に関する情報と、携帯電話１から受信する体温情報の日付に関する情報と、を照合しており、例えば共通の日付が存在すれば、既に受信済みと判断して、共通の日付の体温情報は、再度受信しない構成としている。このようにして、情報管理装置５０は、同一日の体温情報を受信しない構成であるため、携帯電話１の通信費を安価にできる。
【００１８】
なお、制御端末装置１１、もしくは体温計２１の少なくとも一方に他と区別可能で且つ使用者ごとに異なる識別番号を予め決定しておき、その識別番号を体温情報の送信時に併せて送信することで情報管理装置５０は、体温情報の個人識別が可能な構成となる。
なお、この測定情報（体温情報）の送信操作は、例えば、所定の期間（例えば、１週間、１ヶ月等）ごとに実施している。
【００１９】
●［制御ソフトウェアーの更新］
上述したように、使用者の使用している携帯電話１の機種が「ｂｂｂ」であれば、その機種「ｂｂｂ」に対応する制御ソフトウェアーを制御端末装置１１は記憶すれば良いが、使用者が、携帯電話１の機種を、例えば、「ｃｃｃ」に変更すれば、改めて前記制御ソフトウェアーのダウンロード操作を同様に実施し、制御端末装置１１に「ｃｃｃ」に対応する制御ソフトウェアーを記憶させなければ、機種変更した携帯電話１では体温情報の送信は同様に行えない。
そのため、制御端末装置１１の製造者は、携帯電話１に新機種が登場するごとに、その新機種に対応する新たな制御ソフトウェアーを操作情報記憶管理装置７０に記憶させておかなければならない。
【００２０】
●［情報管理装置に記憶の体温情報（図３）］
次に、図３を参照して、体温計２１から携帯電話１を経由して送信された体温情報が情報管理装置５０に記憶されている例を説明する。
図３は、識別番号が、例えば、「００１」の使用者が、１月の毎朝の体温を測定した記録であり、「１月１日」は、「７：００」に測定しており体温が「３５．５」℃であった例を示している。このように、識別番号に対応付けて測定日時、体温情報を記憶しているために、例えば、情報管理装置５０を管理する病院側は、個人の体調状態等を容易に把握できる構成である。
【００２１】
また、上述した情報管理装置５０に送信した体温情報を、使用者自身が携帯電話１から通信回線６０を介して情報管理装置５０に接続して閲覧できる構成としても良い。その場合には、他者に個人情報である体温情報を見られないようにするため、前記識別番号ごとに異なる暗証番号（例えば、４桁の数字）を予め識別番号に対応付けて決定しておく構成が好ましい。その場合には、例えば、使用者は、携帯電話１の入力キー５で、体温情報を閲覧するための情報管理装置５０のＵＲＬを入力して、前記識別番号と前記暗証番号を入力する画面情報を受信する。そして、使用者は、識別番号に続いて暗証番号を入力キー５より入力して、その画面情報に付設の送信ボタンで情報管理装置５０に送信する。情報管理装置５０は、この画面情報から受信した情報に基づいて、前記識別番号と前記暗証番号を照合し、情報管理装置５０は、一致であれば、その携帯電話１に体温情報をダウンロードし、不一致であれば、その携帯電話１に「不一致」の旨を送信する。
なお、この識別番号と暗証番号の入力において、前記照合の結果が、例えば、連続３回不一致であれば、不正接続とみなし、以降の接続を情報管理装置５０は受け付けない構成が好ましい。また、前記画面情報と前記暗証番号を入力する際に、閲覧したい体温情報の日付範囲も併せて入力して、その日付の該当範囲のみの体温情報を受信する構成が好ましい。
【００２２】
◆［第２の実施の形態］
第２の実施の形態では、制御端末装置１１は、記憶媒体８より携帯電話１を経由して制御ソフトウェアーを記憶する構成である。なお、体温計２１からの情報管理装置５０への体温情報の送信に関しては、第１の実施の形態と同構成であるため説明は省略する。
【００２３】
●［全体構成］
第１の実施の形態では、制御端末装置１１は、通信回線６０を介して制御ソフトウェアーを操作情報記憶管理装置７０からダウンロードしている構成であるが、第２の実施の形態では、制御端末装置１１は、携帯電話１を経由して制御ソフトウェアーを記憶媒体８から記憶している構成である。そのために、第２の実施の形態では、図４に示すように、第１の実施の形態で設けている操作情報記憶管理装置７０の変わりに、携帯電話１に記憶媒体８を装着する記憶媒体認識部７を備えている。そして、携帯電話１の記憶媒体認識部７に予め制御ソフトウェアーを記憶している記憶媒体８を装着して、その装着した記憶媒体８から制御ソフトウェアーを読み込み制御端末装置１１に記憶する。
【００２４】
●［携帯電話１の構成］
図５（Ａ）を参照して、携帯電話１の構成について説明する。第２の実施の形態では、第１の実施の形態と比較して、携帯電話１には、記憶媒体８（例えば、メモリーカード）を装着する記憶媒体認識部７を備えている。そして、図５（Ｂ）に示す制御装置にて構成されている。この制御装置は、ブロック図に示すように、ＣＰＵ２、記憶部３（ＲＡＭ、ＲＯＭ）、接続端子４、入力キー５、表示部６、記憶媒体認識部７、等で構成されている。そして、携帯電話１は、制御端末装置１１と通信ケーブル６１で接続した状態で、且つ、記憶媒体認識部７に記憶媒体８を装着した状態で、入力キー５にて、例えば、「♯」を押下すると、記憶媒体８に記憶の制御ソフトウェアーを読み込んで、制御端末装置１１に記憶する。このように、記憶部３に記憶の制御ソフトによってＣＰＵ２は、第１の実施の形態で記載した種々の機能だけでなく、記憶媒体認識部７から記憶媒体８の読み込み機能をも実行している。
なお、制御端末装置１１、及び体温計２１のそれぞれの構成は、第１の実施の形態と同構成であるため説明は省略する。
【００２５】
●［制御ソフトウェアーの受信］
携帯電話１で記憶媒体８から制御ソフトウェアーを読み込み、制御端末装置１１にその制御ソフトウェアーを記憶する操作について説明する。なお、この制御ソフトウェアーは、第１の実施の形態と同じであり説明済みのために詳細は省略する。
以下に、この制御ソフトウェアーの記憶について携帯電話１と、制御端末装置１１で実行される処理について説明する。
【００２６】
使用者は、携帯電話１の接続端子４と、制御端末装置１１の接続端子１４をそれぞれ通信ケーブル６１にて接続する。次に、使用者は、携帯電話１の記憶媒体認識部７に記憶媒体８を装着する。なお、使用者が使用する携帯電話１の機種が、例えば「ｂｂｂ」であれば、この装着する記憶媒体８には、携帯電話１の機種「ｂｂｂ」に対応する制御ソフトウェアーが記憶されていなければならない。
そして、使用者は、携帯電話１の入力キー５より所定の入力操作（例えば、記憶媒体８を装着した状態で「♯」を入力する操作）を行うと、携帯電話１は、記憶媒体８が記憶している制御ソフトウェアーを読み込み、制御端末装置１１の記憶部１３に記憶する。
以上の処理によって、記憶媒体８から機種「ｂｂｂ」に対応の制御ソフトウェアーが記憶される。
【００２７】
また、制御ソフトウェアーの更新に関しても、第１の実施の形態と同様に、使用者が携帯電話１の機種を変更すれば、その変更した携帯電話１の機種に対応した記憶媒体８を携帯電話１から読み込み、制御端末装置１１に記憶すれば良い。
ただし、第１の実施の形態と同様に、制御端末装置１１の製造者は、携帯電話１に新機種が登場するごとに、その新機種に対応する新たな制御ソフトウェアーを記憶媒体８に記憶させて製造、販売しておかなければならない。
【００２８】
本実施の形態で説明した、操作情報管理装置７０から制御端末装置１１にダウンロードする制御ソフトウェアーは、携帯電話１と体温計２１を制御端末装置１１から制御するソフトウェアーである。そして、携帯電話１の機種により、この制御ソフトウェアーが異なるため、使用者が、携帯電話１の機種を変更した際には、変更した機種に対応する新たな制御ソフトウェアーをダウンロードする例を説明したが、これに限られるものでない。例えば、携帯電話１と同様に、体温計２１も機種により制御ソフトウェアーが異なれば、使用者は、体温計２１の機種を変更した場合には、携帯電話１の機種の変更時と同様に、操作情報管理装置７０から制御端末装置１１に変更した体温計２１の機種に対応する新たな制御ソフトウェアーをダウンロードする必要がある。なお、詳細は、携帯電話１の機種の変更と同様操作のために、説明は省略する。
【００２９】
本実施の形態では、携帯電話１と制御端末装置１１の接続、及び制御端末装置１１と体温計２１の接続をそれぞれ通信ケーブル６１を用いて接続して各種情報の送受信する例を説明したが、これに限られるものでなく、通信ケーブル６１を用いなく直接接続して各種信号、各種情報の送受信する構成でも良い。
また、無線（例えば、赤外線通信等）で各種信号、各種情報の送受信する構成でも良い。
その場合（無線で各種情報の送受信する構成）では、携帯電話１、制御端末装置１１、体温計２１には外部接続部に変わり送受信部を備える構成となり各種信号、各種情報の送受信を実施する。
【００３０】
本実施の形態では、情報管理装置５０、操作情報記憶管理装置７０をそれぞれ異なる構成（別の管理装置）としている例を説明したが、これに限られるものではなく、同じ構成（一体の管理装置）であっても良い。この場合には、制御ソフトウェアーの記憶元と測定情報（体温情報）の送信先が同じになる。また、制御ソフトウェアーの受信時に、使用者が、携帯電話１の機種「ｂｂｂ」を選択している例を説明したが、携帯電話１の機種「ｂｂｂ」を入力キー５にて入力する構成でも構わない。
【００３１】
本実施の形態では、測定器が体温計２１である例を説明したが、これに限られるものでなく、例えば、血圧計、血糖値計等でも構わない。また、本実施の形態で説明した、図３に示す情報管理装置５０に記憶の体温情報の構成、項目、内容等は、これに限定されるものではない。
【００３２】
本実施の形態で説明した、制御ソフトウェアーの更新において、携帯電話１の機種が「ｂｂｂ」から「ｃｃｃ」に更新された例を説明したが、制御端末装置１１に記憶の「ｂｂｂ」に対応する制御ソフトウェアーは残しておいて、さらに「ｃｃｃ」に対応する制御ソフトウェアーを記憶する構成でも構わない。
【００３３】
【発明の効果】
以上説明したように、請求項１〜４のいずれかに記載の測定情報管理装置を用いれば、外部から制御ソフトウェアーを記憶させる制御端末装置を備えた測定情報管理装置を提供することができる。
【図面の簡単な説明】
【図１】本発明（第１の実施の形態）の測定情報管理装置を用いた一実施の形態の全体構成図である。
【図２】本発明（第１の実施の形態）における、（Ａ）携帯電話１、（Ｂ）携帯電話１のブロック図、（Ｃ）制御端末装置１１、（Ｄ）制御端末装置１１のブロック図、（Ｅ）体温計２１、（Ｆ）体温計２１のブロック図、について説明する図である。
【図３】情報管理装置５０に記憶の体温情報の例について説明する図である。
【図４】本発明（第２の実施の形態）の測定情報管理装置を用いた一実施の形態の全体構成図である。
【図５】本発明（第２の実施の形態）における、（Ａ）携帯電話１、（Ｂ）携帯電話１のブロック図、について説明する図である。
【図６】従来の測定情報管理装置を用いた一実施の形態の全体構成図である。
【符号の説明】
１    携帯電話
１１  制御端末装置
２１  体温計
４０  中継装置
５０  情報管理装置
６０  通信回線
７０  操作情報記憶管理装置
【図１】
2004240868.tif 000003
【図２】
2004240868.tif 000004
【図３】
2004240868.tif 000005
【図４】
2004240868.tif 000006
【図５】
2004240868.tif 000007
【図６】
2004240868.tif 000008